(57)【要約】【課題】安価な垂直端面の光ファイバを用いても、反射の問題が無く、調芯も容易な光モジュール及びその調芯方法を提供する。【解決手段】光信号を送信するＬＤ３又は光信号を受信するＰＤ１１のいずれか１つの素子と、前記素子を搭載するステム２と、長手方向に対して垂直なファイバ端面１０を有すると共に前記素子と光学結合される光ファイバ７と、光ファイバ７のファイバ端面１０を保持端面９ａに平行にして、光ファイバ７を保持するフェルールカラー９と、前記素子を内側にしてステム２を一方の端面１ａに取り付けると共に、フェルールカラー９の保持端面９ａを他方の端面１ｂに取り付ける筒状の筐体１とを有する光モジュールにおいて、筐体１の他方の端面１ｂを、前記素子の光軸３ａ又は光軸１１ａに垂直な面に対して所定角度傾斜させて形成する。【選択図】図１
2008083282.tif 000002
【特許請求の範囲】
【請求項１】
光信号を送信する送信素子又は光信号を受信する受信素子のいずれか１つの素子と、
前記素子を搭載する搭載筐体と、
長手方向に対して垂直なファイバ端面を有すると共に前記素子と光学結合される光ファイバと、
前記光ファイバのファイバ端面を保持端面に平行にして、前記光ファイバを保持する保持手段と、
前記素子を内側にして前記搭載筐体を一方の端面に取り付けると共に、前記保持手段の保持端面を他方の端面に取り付ける筒状筐体とを有し、
前記筒状筐体の他方の端面を、前記素子の光軸に垂直な面に対して所定角度傾斜させて形成したことを特徴とする光モジュール。
【請求項２】
光信号を送信する送信素子又は光信号を受信する受信素子のいずれか１つの素子と、
前記素子の光軸を搭載面に垂直にして、前記素子を搭載する搭載筐体と、
長手方向に対して垂直なファイバ端面を有すると共に前記素子と光学結合される光ファイバと、
前記光ファイバのファイバ端面を保持端面に平行にして、前記光ファイバを保持する保持手段と、
前記素子を内側にして前記搭載筐体を一方の端面に取り付けると共に、前記保持手段の保持端面を他方の端面に取り付ける筒状筐体とを有し、
前記筒状筐体の一方の端面を、前記筒状筐体の長手方向に対して垂直に形成すると共に、前記筒状筐体の他方の端面を、前記筒状筐体の長手方向に対して垂直な面に対して所定角度傾斜させて形成したことを特徴とする光モジュール。
【請求項３】
光信号を送信する送信素子又は光信号を受信する受信素子のいずれか１つの素子と、
前記素子を搭載する搭載筐体と、
長手方向に対して垂直なファイバ端面を有すると共に前記素子と光学結合される光ファイバと、
前記光ファイバを保持する保持手段と、
前記素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の他方の端面を、前記素子の光軸に垂直な面に対して第２所定角度傾斜させて形成したことを特徴とする光モジュール。
【請求項４】
光信号を送信する送信素子又は光信号を受信する受信素子のいずれか１つの素子と、
前記素子の光軸を搭載面に垂直にして、前記素子を搭載する搭載筐体と、
長手方向に対して垂直なファイバ端面を有すると共に前記素子と光学結合される光ファイバと、
前記光ファイバを保持する保持手段と、
前記素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の一方の端面を、前記筒状筐体の長手方向に対して垂直に形成すると共に、前記筒状筐体の他方の端面を、前記筒状筐体の長手方向に対して垂直な面に対して第２所定角度傾斜させて形成したことを特徴とする光モジュール。
【請求項５】
請求項１乃至請求項４のいずれかに記載の光モジュールにおいて、
前記素子が、光信号を送信する送信素子である場合、
前記所定角度又は前記第１所定角度と前記第２所定角度との和を、光出力のロス値が１ｄＢｍ以下となるような角度としたことを特徴とする光モジュール。
【請求項６】
請求項１乃至請求項４のいずれかに記載の光モジュールにおいて、
前記素子が、光信号を受信する受信素子である場合、
前記所定角度又は前記第１所定角度と前記第２所定角度との和を、光入力のロス値が１ｄＢ以下となるような角度としたことを特徴とする光モジュール。
【請求項７】
光信号を送信する送信素子及び光信号を受信する受信素子と、
前記送信素子及び前記受信素子を搭載する搭載筐体と、
長手方向に対して垂直なファイバ端面を有すると共に前記送信素子及び前記受信素子と光学結合される光ファイバと、
前記光ファイバのファイバ端面を保持端面に平行にして、前記光ファイバを保持する保持手段と、
前記送信素子及び前記受信素子を内側にして前記搭載筐体を一方の端面に取り付けると共に、前記保持手段の保持端面を他方の端面に取り付ける筒状筐体とを有し、
前記筒状筐体の他方の端面を、前記送信素子又は前記受信素子のいずれか１つの光軸に垂直な面に対して所定角度傾斜させて形成したことを特徴とする光モジュール。
【請求項８】
光信号を送信する送信素子及び光信号を受信する受信素子と、
前記送信素子又は前記受信素子のいずれか１つの素子の光軸を搭載面に垂直にして、前記送信素子及び前記受信素子を搭載する搭載筐体と、
長手方向に対して垂直なファイバ端面を有すると共に前記送信素子及び前記受信素子と光学結合される光ファイバと、
前記光ファイバのファイバ端面を保持端面に平行にして、前記光ファイバを保持する保持手段と、
前記送信素子及び前記受信素子を内側にして前記搭載筐体を一方の端面に取り付けると共に、前記保持手段の保持端面を他方の端面に取り付ける筒状筐体とを有し、
前記筒状筐体の一方の端面を、前記筒状筐体の長手方向に対して垂直に形成すると共に、前記筒状筐体の他方の端面を、前記筒状筐体の長手方向に対して垂直な面に対して所定角度傾斜させて形成したことを特徴とする光モジュール。
【請求項９】
光信号を送信する送信素子及び光信号を受信する受信素子と、
前記送信素子及び前記受信素子を搭載する搭載筐体と、
長手方向に対して垂直なファイバ端面を有すると共に前記送信素子及び前記受信素子と光学結合される光ファイバと、
前記光ファイバを保持する保持手段と、
前記送信素子及び前記受信素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の他方の端面を、前記送信素子又は前記受信素子のいずれか１つの素子の光軸に垂直な面に対して第２所定角度傾斜させて形成したことを特徴とする光モジュール。
【請求項１０】
光信号を送信する送信素子及び光信号を受信する受信素子と、
前記送信素子又は前記受信素子のいずれか１つの素子の光軸を搭載面に垂直にして、前記送信素子及び前記受信素子を搭載する搭載筐体と、
長手方向に対して垂直なファイバ端面を有すると共に前記送信素子及び前記受信素子と光学結合される光ファイバと、
前記光ファイバを保持する保持手段と、
前記送信素子及び前記受信素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の一方の端面を、前記筒状筐体の長手方向に対して垂直に形成すると共に、前記筒状筐体の他方の端面を、前記筒状筐体の長手方向に対して垂直な面に対して第２所定角度傾斜させて形成したことを特徴とする光モジュール。
【請求項１１】
請求項７乃至請求項１０のいずれかに記載の光モジュールにおいて、
送信する光信号を透過し、かつ、受信する光信号を反射するフィルタを前記搭載筐体に搭載して、前記光ファイバと前記送信素子とを前記フィルタを透過して光学結合させ、前記光ファイバと前記受信素子とを前記フィルタを反射して光学結合させる場合、
前記所定角度又は前記第１所定角度と第２所定角度との和を、光出力側のロス値が１ｄＢｍ以下となるような角度としたことを特徴とする光モジュール。
【請求項１２】
光信号を送信する送信素子と、光信号を受信する受信素子と、送信する光信号を透過し、かつ、受信する光信号を反射するフィルタとを搭載筐体に搭載し、
長手方向に対して垂直なファイバ端面を有すると共に前記フィルタを介して前記送信素子及び前記受信素子と光学結合される光ファイバを、該ファイバ端面に平行に形成された保持端面を有する保持手段に保持し、
前記送信素子及び前記受信素子を内側にして前記搭載筐体を筒状筐体の一方の端面に取り付け、
前記送信素子の光軸に垂直な面に対して所定角度傾斜させて形成された前記筒状筐体の他方の端面に、前記保持手段の保持端面を取り付けて、前記送信素子側の調芯を行うことを特徴とする光モジュールの調芯方法。
【請求項１３】
光信号を送信する送信素子と、光信号を受信する受信素子と、送信する光信号を透過し、かつ、受信する光信号を反射するフィルタとを搭載筐体に搭載すると共に、前記送信素子の光軸が搭載面に垂直になるように支持し、
長手方向に対して垂直なファイバ端面を有すると共に前記フィルタを介して前記送信素子及び前記受信素子と光学結合される光ファイバを、該ファイバ端面に平行に形成された保持端面を有する保持手段に保持し、
筒状筐体の長手方向に対して垂直に形成された該筒状筐体の一方の端面に、前記送信素子及び前記受信素子を内側にして前記搭載筐体を取り付け、
前記筒状筐体の長手方向に対して垂直な面に対して所定角度傾斜させて形成された前記筒状筐体の他方の端面に、前記保持手段の保持端面を取り付けて、前記送信素子側の調芯を行うことを特徴とする光モジュールの調芯方法。
【請求項１４】
光信号を送信する送信素子と、光信号を受信する受信素子と、送信する光信号を透過し、かつ、受信する光信号を反射するフィルタとを搭載筐体に搭載し、
長手方向に対して垂直なファイバ端面を有すると共に前記フィルタを介して前記送信素子及び前記受信素子と光学結合される光ファイバを、該ファイバ端面に対して第１所定角度傾斜させて形成された保持端面を有する保持手段に保持し、
前記送信素子及び前記受信素子を内側にして前記搭載筐体を筒状筐体の一方の端面に取り付け、
前記送信素子の光軸に垂直な面に対して第２所定角度傾斜させて形成された前記筒状筐体の他方の端面に、前記保持手段を回転可能に取り付け、
前記保持手段を回転して、前記送信素子側の調芯を行うことを特徴とする光モジュールの調芯方法。
【請求項１５】
光信号を送信する送信素子と、光信号を受信する受信素子と、送信する光信号を透過し、かつ、受信する光信号を反射するフィルタとを搭載筐体に搭載すると共に、前記送信素子の光軸が搭載面に垂直になるように支持し、
長手方向に対して垂直なファイバ端面を有すると共に前記フィルタを介して前記送信素子及び前記受信素子と光学結合される光ファイバを、該ファイバ端面に対して第１所定角度傾斜させて形成された保持端面を有する保持手段に保持し、
筒状筐体の長手方向に対して垂直に形成された該筒状筐体の一方の端面に、前記送信素子及び前記受信素子を内側にして前記搭載筐体を取り付け、
前記筒状筐体の長手方向に対して垂直な面に対して第２所定角度傾斜させて形成された前記筒状筐体の他方の端面上に、前記保持手段を回転可能に取り付け、
前記保持手段を回転して、前記送信素子側の調芯を行うことを特徴とする光モジュールの調芯方法。
【請求項１６】
請求項１２乃至請求項１５のいずれかに記載の光モジュールの調芯方法において、
前記所定角度又は前記第１所定角度と第２所定角度との和を、光出力側のロス値が１ｄＢｍ以下となるような角度とすることを特徴とする光モジュールの調芯方法。
【発明の詳細な説明】
【技術分野】
【０００１】
本発明は、光伝送システムに用いられる光モジュールに関し、例えば、光信号の送信のみを行う光送信モジュール、光信号の受信のみを行う光受信モジュール、光信号の送受信双方を行う光送受信モジュール等に有用なものである。
【背景技術】
【０００２】
図５に、従来の光モジュールの構成を説明する断面図を示す。
図５に示すように、従来の光モジュールは、筒状の筐体４１と、筐体４１の一方の端面に取り付けられたステム４２と、筐体４１の他方の端面（保持端面４６）に取り付けられ、フェルール４８を介して光ファイバ４７を保持するフェルールカラー４９とを有している。筐体４１の内側となるステム４２の搭載面には、光信号の送受信に用いる光素子４３が搭載されており、この光素子４３と電気的接続を行う複数のピン４４が、ステム４２を貫通して設けられている。
【０００３】
光素子４３は、レンズ４５を介して、フェルールカラー４９に保持された光ファイバ４７と光学結合されている。この光学結合において、筐体４１の保持端面４６は、光素子４３の光軸４３ａ（以降、光素子の表面に対して、垂直に入射又は出射する光の進行方向を、光素子の光軸と規定する。）に対して略垂直になるように構成されており、フェルール４８、フェルールカラー４９を介して、保持端面４６に保持される光ファイバ４７は、そのファイバ端面５０が斜めに研磨されて、光素子４３の光軸４３ａに対して所定の傾斜角度を有している。このように、従来の光モジュールでは、光素子４３の光軸４３ａに対して、ファイバ端面５０を傾斜させることにより、ファイバ端面５０における反射等の問題、具体的には、ファイバ端面５０で反射した光がフォトダイオード等に再入射したり、ファイバ端面５０から出射した光が光学部品に反射した後ファイバ端面５０に再入射したりする問題を防止している。
【０００４】
【特許文献１】特開平５−３４３７０９号公報
【発明の開示】
【発明が解決しようとする課題】
【０００５】
ファイバ端面が長手方向に対して垂直な光ファイバ、つまり、ファイバ端面が傾斜されていない光ファイバは、製造コストが安価である反面、送受信光を導波する際、ファイバ端面において、光の反射等の問題が発生していた。従って、従来の光モジュールにおいては、図５に示すように、ファイバ端面が傾斜された光ファイバを用いていた。しかしながら、光ファイバのファイバ端面に傾斜を施す斜め研磨等の方法は、技術的に難しいものであり、その結果、製造コストが高くなり、光モジュール自体のコストアップにつながっていた。
【０００６】
又、ファイバ端面が傾斜された光ファイバを用いた場合、光ファイバの光軸（以降、光ファイバを導波する光の進行方向を、光ファイバの光軸と規定する。）と光モジュール内部の光素子の光軸との間にずれが生じるという問題も発生していた。この場合、光ファイバと光素子とを高効率で光学結合させるためには、光モジュールに対するレンズ付きキャップの取り付け位置を、基準位置からオフセットして取り付ける必要があり、製造時における光学結合の調整（調芯）が難しいものとなっていた。
【０００７】
本発明は上記課題に鑑みなされたもので、安価な垂直端面の光ファイバを用いても、反射の問題が無く、調芯も容易な光モジュール及びその調芯方法を提供することを目的とする。
【課題を解決するための手段】
【０００８】
上記課題を解決する第１の発明に係る光モジュールは、
光信号を送信する送信素子又は光信号を受信する受信素子のいずれか１つの素子と、
前記素子を搭載する搭載筐体と、
長手方向に対して垂直なファイバ端面を有すると共に前記素子と光学結合される光ファイバと、
前記光ファイバのファイバ端面を保持端面に平行にして、前記光ファイバを保持する保持手段と、
前記素子を内側にして前記搭載筐体を一方の端面に取り付けると共に、前記保持手段の保持端面を他方の端面に取り付ける筒状筐体とを有し、
前記筒状筐体の他方の端面を、前記素子の光軸に垂直な面に対して所定角度傾斜させて形成したことを特徴とする。
【０００９】
上記課題を解決する第２の発明に係る光モジュールは、
光信号を送信する送信素子又は光信号を受信する受信素子のいずれか１つの素子と、
前記素子の光軸を搭載面に垂直にして、前記素子を搭載する搭載筐体と、
長手方向に対して垂直なファイバ端面を有すると共に前記素子と光学結合される光ファイバと、
前記光ファイバのファイバ端面を保持端面に平行にして、前記光ファイバを保持する保持手段と、
前記素子を内側にして前記搭載筐体を一方の端面に取り付けると共に、前記保持手段の保持端面を他方の端面に取り付ける筒状筐体とを有し、
前記筒状筐体の一方の端面を、前記筒状筐体の長手方向に対して垂直に形成すると共に、前記筒状筐体の他方の端面を、前記筒状筐体の長手方向に対して垂直な面に対して所定角度傾斜させて形成したことを特徴とする。
【００１０】
上記課題を解決する第３の発明に係る光モジュールは、
光信号を送信する送信素子又は光信号を受信する受信素子のいずれか１つの素子と、
前記素子を搭載する搭載筐体と、
長手方向に対して垂直なファイバ端面を有すると共に前記素子と光学結合される光ファイバと、
前記光ファイバを保持する保持手段と、
前記素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の他方の端面を、前記素子の光軸に垂直な面に対して第２所定角度傾斜させて形成したことを特徴とする。
【００１１】
上記課題を解決する第４の発明に係る光モジュールは、
光信号を送信する送信素子又は光信号を受信する受信素子のいずれか１つの素子と、
前記素子の光軸を搭載面に垂直にして、前記素子を搭載する搭載筐体と、
長手方向に対して垂直なファイバ端面を有すると共に前記素子と光学結合される光ファイバと、
前記光ファイバを保持する保持手段と、
前記素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の一方の端面を、前記筒状筐体の長手方向に対して垂直に形成すると共に、前記筒状筐体の他方の端面を、前記筒状筐体の長手方向に対して垂直な面に対して第２所定角度傾斜させて形成したことを特徴とする。
【００１２】
上記課題を解決する第５の発明に係る光モジュールは、
上記第１〜４の発明いずれかに記載の光モジュールにおいて、
前記素子が、光信号を送信する送信素子である場合、
前記所定角度又は前記第１所定角度と前記第２所定角度との和を、光出力のロス値が１ｄＢｍ以下となるような角度としたことを特徴とする。
【００１３】
上記課題を解決する第６の発明に係る光モジュールは、
上記第１〜４の発明いずれかに記載の光モジュールにおいて、
前記素子が、光信号を受信する受信素子である場合、
前記所定角度又は前記第１所定角度と前記第２所定角度との和を、光入力のロス値が１ｄＢ以下となるような角度としたことを特徴とする。
【００１４】
上記課題を解決する第７の発明に係る光モジュールは、
光信号を送信する送信素子及び光信号を受信する受信素子と、
前記送信素子及び前記受信素子を搭載する搭載筐体と、
長手方向に対して垂直なファイバ端面を有すると共に前記送信素子及び前記受信素子と光学結合される光ファイバと、
前記光ファイバのファイバ端面を保持端面に平行にして、前記光ファイバを保持する保持手段と、
前記送信素子及び前記受信素子を内側にして前記搭載筐体を一方の端面に取り付けると共に、前記保持手段の保持端面を他方の端面に取り付ける筒状筐体とを有し、
前記筒状筐体の他方の端面を、前記送信素子又は前記受信素子のいずれか１つの光軸に垂直な面に対して所定角度傾斜させて形成したことを特徴とする。
【００１５】
上記課題を解決する第８の発明に係る光モジュールは、
光信号を送信する送信素子及び光信号を受信する受信素子と、
前記送信素子又は前記受信素子のいずれか１つの素子の光軸を搭載面に垂直にして、前記送信素子及び前記受信素子を搭載する搭載筐体と、
長手方向に対して垂直なファイバ端面を有すると共に前記送信素子及び前記受信素子と光学結合される光ファイバと、
前記光ファイバのファイバ端面を保持端面に平行にして、前記光ファイバを保持する保持手段と、
前記送信素子及び前記受信素子を内側にして前記搭載筐体を一方の端面に取り付けると共に、前記保持手段の保持端面を他方の端面に取り付ける筒状筐体とを有し、
前記筒状筐体の一方の端面を、前記筒状筐体の長手方向に対して垂直に形成すると共に、前記筒状筐体の他方の端面を、前記筒状筐体の長手方向に対して垂直な面に対して所定角度傾斜させて形成したことを特徴とする。
【００１６】
上記課題を解決する第９の発明に係る光モジュールは、
光信号を送信する送信素子及び光信号を受信する受信素子と、
前記送信素子及び前記受信素子を搭載する搭載筐体と、
長手方向に対して垂直なファイバ端面を有すると共に前記送信素子及び前記受信素子と光学結合される光ファイバと、
前記光ファイバを保持する保持手段と、
前記送信素子及び前記受信素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の他方の端面を、前記送信素子又は前記受信素子のいずれか１つの素子の光軸に垂直な面に対して第２所定角度傾斜させて形成したことを特徴とする。
【００１７】
上記課題を解決する第１０の発明に係る光モジュールは、
光信号を送信する送信素子及び光信号を受信する受信素子と、
前記送信素子又は前記受信素子のいずれか１つの素子の光軸を搭載面に垂直にして、前記送信素子及び前記受信素子を搭載する搭載筐体と、
長手方向に対して垂直なファイバ端面を有すると共に前記送信素子及び前記受信素子と光学結合される光ファイバと、
前記光ファイバを保持する保持手段と、
前記送信素子及び前記受信素子を内側にして前記搭載筐体を一方の端面に取り付けると共に、前記保持手段を他方の端面に回転可能に取り付ける筒状筐体とを有し、
前記筒状筐体の他方の端面に接する前記保持手段の保持端面を、前記光ファイバのファイバ端面に対して第１所定角度傾斜させて形成し、
前記筒状筐体の一方の端面を、前記筒状筐体の長手方向に対して垂直に形成すると共に、前記筒状筐体の他方の端面を、前記筒状筐体の長手方向に対して垂直な面に対して第２所定角度傾斜させて形成したことを特徴とする。
【００１８】
上記課題を解決する第１１の発明に係る光モジュールは、
上記第７〜１０の発明いずれかに記載の光モジュールにおいて、
送信する光信号を透過し、かつ、受信する光信号を反射するフィルタを前記搭載筐体に搭載して、前記光ファイバと前記送信素子とを前記フィルタを透過して光学結合させ、前記光ファイバと前記受信素子とを前記フィルタを反射して光学結合させる場合、
前記所定角度又は前記第１所定角度と第２所定角度との和を、光出力側のロス値が１ｄＢｍ以下となるような角度としたことを特徴とする。
【００１９】
上記課題を解決する第１２の発明に係る光モジュールの調芯方法は、
光信号を送信する送信素子と、光信号を受信する受信素子と、送信する光信号を透過し、かつ、受信する光信号を反射するフィルタとを搭載筐体に搭載し、
長手方向に対して垂直なファイバ端面を有すると共に前記フィルタを介して前記送信素子及び前記受信素子と光学結合される光ファイバを、該ファイバ端面に平行に形成された保持端面を有する保持手段に保持し、
前記送信素子及び前記受信素子を内側にして前記搭載筐体を筒状筐体の一方の端面に取り付け、
前記送信素子の光軸に垂直な面に対して所定角度傾斜させて形成された前記筒状筐体の他方の端面に、前記保持手段の保持端面を取り付けて、前記送信素子側の調芯を行うことを特徴とする。
【００２０】
上記課題を解決する第１３の発明に係る光モジュールの調芯方法は、
光信号を送信する送信素子と、光信号を受信する受信素子と、送信する光信号を透過し、かつ、受信する光信号を反射するフィルタとを搭載筐体に搭載すると共に、前記送信素子の光軸が搭載面に垂直になるように支持し、
長手方向に対して垂直なファイバ端面を有すると共に前記フィルタを介して前記送信素子及び前記受信素子と光学結合される光ファイバを、該ファイバ端面に平行に形成された保持端面を有する保持手段に保持し、
筒状筐体の長手方向に対して垂直に形成された該筒状筐体の一方の端面に、前記送信素子及び前記受信素子を内側にして前記搭載筐体を取り付け、
前記筒状筐体の長手方向に対して垂直な面に対して所定角度傾斜させて形成された前記筒状筐体の他方の端面に、前記保持手段の保持端面を取り付けて、前記送信素子側の調芯を行うことを特徴とする。
【００２１】
上記課題を解決する第１４の発明に係る光モジュールの調芯方法は、
光信号を送信する送信素子と、光信号を受信する受信素子と、送信する光信号を透過し、かつ、受信する光信号を反射するフィルタとを搭載筐体に搭載し、
長手方向に対して垂直なファイバ端面を有すると共に前記フィルタを介して前記送信素子及び前記受信素子と光学結合される光ファイバを、該ファイバ端面に対して第１所定角度傾斜させて形成された保持端面を有する保持手段に保持し、
前記送信素子及び前記受信素子を内側にして前記搭載筐体を筒状筐体の一方の端面に取り付け、
前記送信素子の光軸に垂直な面に対して第２所定角度傾斜させて形成された前記筒状筐体の他方の端面に、前記保持手段を回転可能に取り付け、
前記保持手段を回転して、前記送信素子側の調芯を行うことを特徴とする。
【００２２】
上記課題を解決する第１５の発明に係る光モジュールの調芯方法は、
光信号を送信する送信素子と、光信号を受信する受信素子と、送信する光信号を透過し、かつ、受信する光信号を反射するフィルタとを搭載筐体に搭載すると共に、前記送信素子の光軸が搭載面に垂直になるように支持し、
長手方向に対して垂直なファイバ端面を有すると共に前記フィルタを介して前記送信素子及び前記受信素子と光学結合される光ファイバを、該ファイバ端面に対して第１所定角度傾斜させて形成された保持端面を有する保持手段に保持し、
筒状筐体の長手方向に対して垂直に形成された該筒状筐体の一方の端面に、前記送信素子及び前記受信素子を内側にして前記搭載筐体を取り付け、
前記筒状筐体の長手方向に対して垂直な面に対して第２所定角度傾斜させて形成された前記筒状筐体の他方の端面上に、前記保持手段を回転可能に取り付け、
前記保持手段を回転して、前記送信素子側の調芯を行うことを特徴とする。
【００２３】
上記課題を解決する第１６の発明に係る光モジュールの調芯方法は、
上記第１２〜１５の発明のいずれかに記載の光モジュールの調芯方法において、
前記所定角度又は前記第１所定角度と第２所定角度との和を、光出力側のロス値が１ｄＢｍ以下となるような角度とすることを特徴とする。
【発明の効果】
【００２４】
本発明によれば、光ファイバを保持する側の筒状筐体の端面に傾斜を施すことにより、送受信光を導波する光ファイバとして、ファイバ端面が垂直な（斜め研磨されていない）光ファイバを使用することが可能となり、ファイバ端面における反射等の問題を発生させることなく、光ファイバと光素子との調芯を容易に行うことができる。又、ファイバ端面が垂直な光ファイバは安価であるため、光モジュールの部材コストを低減することができる。なお、通常、筒状筐体は金属の加工部材であるため、金型成型又は射出成型等により成型することが可能であり、筒状筐体の端面に傾斜を施す際、部材コストが更にかかることはない。
【発明を実施するための最良の形態】
【００２５】
本発明に係る光モジュールの実施形態について、図面を参照しながら説明する。
【実施例１】
【００２６】
図１（ａ）は、本発明に係る光モジュールの実施形態の一例を示す断面構成図である。
【００２７】
図１（ａ）に示すように、本実施例の光モジュールは、筒状の筐体１と、筐体１の一方の端面１ａに取り付けられたステム２（搭載筐体）と、筐体１の他方の端面１ｂに取り付けられ、フェルール８を介して光ファイバ７を保持するフェルールカラー９（保持手段）とを有している。筐体１の内側となるステム２の搭載面２ａには、光信号を送信する送信素子となるレーザダイオード（以降、ＬＤと略す。）３が搭載されており、このＬＤ３と電気的接続を行う複数のピン４が、ステム２を貫通して設けられている。このように、本実施例の光モジュールは、ＬＤ３を内側にしてステム２を筐体１の端面１ｂに取り付けると共に、フェルールカラー９の保持端面９ａを筐体１の端面１ｂに取り付けたものである。なお、筐体１、フェルール８、フェルールカラー９は、金属製の加工部材であり、ＹＡＧ（Yttrium Aluminum Garnet）レーザ溶接に適した材料（ＳＵＳ３０４、ＳＦ２０Ｔ等）を使用することが望ましい。
【００２８】
本実施例の光モジュールにおいて、光の集光を行うレンズ５は、キャップ６により支持されており、ステム２の搭載面２ａにキャップ６を取り付けることにより、ＬＤ３の周囲を封止する構造である。そして、フェルールカラー９に保持された光ファイバ７は、レンズ５を介して、ＬＤ３と光学結合されている。本実施例の光モジュールにおいて、光ファイバ７は、その長手方向に対して垂直に形成されたファイバ端面１０を有するものであり、その製造コストが安価なものである。
【００２９】
垂直なファイバ端面１０を有する光ファイバ７を、そのまま使用すると、ファイバ端面１０において、反射等の問題が生じるため、本実施例の光モジュールにおいては、フェルールカラー９の保持端面９ａが接する筐体１の端面１ｂが、ＬＤ３の光軸３ａに垂直な面に対して所定角度傾斜されて形成されている。具体的には、本実施例の光モジュールにおいて、フェルールカラー９は、ファイバ端面１０が保持端面９ａと平行になるように、光ファイバ７を保持する構成であり、又、ステム２は、ＬＤ３の光軸３ａが搭載面２ａと垂直になるように、ＬＤ３を支持する構成である。更に、筐体１の端面１ａは、筐体１の長手方向に対して垂直に形成されると共に、筐体１の端面１ｂは、筐体１の長手方向に対して垂直な面に対して所定角度傾斜されて形成される構成である。
【００３０】
つまり、ＬＤ３の光軸３ａをステム２の搭載面２ａと垂直とし、かつ、筐体１の端面１ａを筐体１の長手方向に対して垂直に形成することにより、ＬＤ３の光軸３ａと筐体１の長手方向を同一としている。そして、筐体１の端面１ｂを筐体１の長手方向に対して垂直な面に対して所定角度傾斜して形成すれば、筐体１の端面１ｂ自体がＬＤ３の光軸３ａに垂直な面に対して、所定角度傾斜することになり、フェルールカラー９を介して、筐体１の端面１ｂに取り付けられる光ファイバ７のファイバ端面１０も、ＬＤ３の光軸３ａに垂直な面に対して、所定角度傾斜することになる。
【００３１】
従って、上記構成とすることにより、垂直なファイバ端面１０を有する光ファイバ７を用いても、本実施例の光モジュールでは、ファイバ端面１０における反射等の問題を防止できることとなる。なお、図１（ａ）に示す光モジュールは、光素子としてＬＤ３を有する送信用の光モジュールであり、この場合、筐体１の端面１ｂの傾斜角度が大きすぎると光ファイバ７との調芯時に光学結合ができなくなるので、光出力のロス値が１ｄＢｍ以下となるような角度、例えば、ＬＤ３の光軸３ａに垂直な面に対して、筐体１の端面１ｂの傾斜角度を０．５°〜１°程度とすることが望ましい。
【００３２】
ここで、図１（ａ）に示した光モジュールの調芯方法を説明する。
【００３３】
（１）ＬＤ３の搭載
ＬＤ３を、ステム２の搭載面２ａの中心に搭載する。このとき、ＬＤ３の光軸３ａがステム２の搭載面２ａに対して垂直になるように調整する。
【００３４】
（２）レンズ５付きキャップ６の固定
レンズ５付きキャップ６を、ＬＤ３を搭載したステム２に固定する。このとき、ＬＤ３に電流を流して発光させ、レンズ５の中心とＬＤ３の発光点が同一になるように、つまり、レンズ５の中心とＬＤ３の光軸３ａが一致するように、ステム２の位置を調整し、その後、キャップ６をステム２に抵抗溶接にて固定する。
【００３５】
（３）ステム２の固定
ステム２を筐体１の傾斜していない端面１ａに固定する。このとき、筐体１の内側になるようにステム２の搭載面２ａを配置し、ステム２の中心と筐体１の中心を合わせた後、ステム２を筐体１の端面１ａに抵抗溶接にて固定する。
【００３６】
（４）光ファイバ７の固定（光ファイバ７とＬＤ３の調芯）
長手方向に対して垂直に形成されたファイバ端面１０を有し、フェルール８に保持された光ファイバ７をフェルールカラー９に固定し、フェルールカラー９を筐体１の傾斜した端面１ｂに固定する。このとき、フェルールカラー９の保持端面９ａを筐体１の端面１ｂに対面させると共に、ＬＤ３に電流を流して発光させ、光ファイバ７に入射するＬＤ３からの光強度が最大となるように、筐体１の平面位置を調整し、その後、フェルール８を介して、光ファイバ７をフェルールカラー９に固定し、フェルールカラー９を筐体１の端面１ｂに固定する。
【００３７】
例えば、エアー浮上型、バネ浮上型等のジンバル機構を備えた調芯装置を用いて、上記調整を行えばよい。具体的には、ジンバル機構により、筐体１に固定されたステム２に対して、フェルール８を介して調芯装置のファイバチャックに保持された光ファイバ７と、調芯装置のフェルールカラーチャックに保持されたフェルールカラー９の光軸を垂直に保つと共に、調芯装置によりＸＹＺ軸の調芯を行う。このＸＹＺ軸の調芯により、光ファイバ７において、最大の光学結合を得られる位置が確定したら、ＹＡＧレーザ溶接にてＺ軸を貫通溶接する。そして、再度ＸＹ調芯を行い、光ファイバ７において、最大の光学結合を得られる位置が確定したら、ＹＡＧレーザ溶接にてＸＹ軸を隅肉溶接する。
【００３８】
従って、上記調芯方法を用いることにより、ＬＤ３と光ファイバ７との調芯で従来必要であったθ調芯を行う必要がなくなり、調芯を容易にしている。又、レンズ５付きキャップ６の固定方法も従来のオフセット調整が不要となり、従来と比較して、作業時間を短縮することができる。なお、上述した調芯方法は、後述する図１（ｂ）に示す光モジュールにも適用可能である。
【００３９】
図１（ｂ）は、本発明に係る光モジュールの実施形態の一例を示す断面構成図であり、図１（ａ）に示す光モジュールの変形例に該当する。従って、図１（ｂ）に示す光モジュールにおいて、図１（ａ）に示す光モジュールと同等の構成には、同じ符号を付し、重複する説明は省略する。
【００４０】
図１（ｂ）に示すように、本実施例の光モジュールは、図１（ａ）に示す光モジュールのＬＤ３に替えて、光信号を受信するフォトダイオード（以降、ＰＤと略す。）１１をステム２の搭載面２ａに搭載したものであり、フェルールカラー９の保持端面９ａが接する筐体１の端面１ｂが、ＰＤ１１の光軸１１ａに垂直な面に対して所定角度傾斜されて形成されている。具体的には、本実施例の光モジュールにおいて、フェルールカラー９は、ファイバ端面１０が保持端面９ａと平行になるように、光ファイバ７を保持する構成であり、又、ステム２は、ＰＤ１１の光軸１１ａが搭載面２ａと垂直になるように、ＰＤ１１を支持する構成であり、更に、筐体１の端面１ａは、筐体１の長手方向に対して垂直に形成されると共に、筐体１の端面１ｂは、筐体１の長手方向に対して垂直な面に対して所定角度傾斜されて形成される構成である。
【００４１】
つまり、ＰＤ１１の光軸１１ａをステム２の搭載面２ａと垂直とし、かつ、筐体１の端面１ａを筐体１の長手方向に対して垂直に形成することにより、ＰＤ１１の光軸１１ａと筐体１の長手方向を同一としている。そして、筐体１の端面１ｂを筐体１の長手方向に対して垂直な面に対して所定角度傾斜して形成すれば、筐体１の端面１ｂ自体がＰＤ１１の光軸１１ａに垂直な面に対して、所定角度傾斜することになり、フェルールカラー９を介して、筐体１の端面１ｂに取り付けられる光ファイバ７のファイバ端面１０も、ＰＤ１１の光軸１１ａに垂直な面に対して、所定角度傾斜することになる。
【００４２】
従って、上記構成とすることにより、垂直なファイバ端面１０を有する光ファイバ７を用いても、本実施例の光モジュールでは、ファイバ端面１０における反射等の問題を防止できることとなる。なお、図１（ｂ）に示す光モジュールは、光素子としてＰＤ１１を有する受信用の光モジュールであり、この場合、光入力のロス値が１ｄＢ以下となるような角度、例えば、ＰＤ１１の光軸１１ａに垂直な面に対して、筐体１の端面１ｂの傾斜角度を２°〜６°程度とすることが望ましい。ＰＤは、一般的に、受光面に対してある程度傾斜して受光しても、十分受光感度を確保できため、ＬＤと比較して、その傾斜角度の許容範囲が大きく、又、受光面への反射を防ぐためには、ＬＤより大きな角度をつけることが望ましい。
【実施例２】
【００４３】
図２（ａ）、（ｂ）は、本発明に係る光モジュールの実施形態の他の一例を示す断面構成図であり、実施例１（図１（ａ）、（ｂ））に示す光モジュールの変形例に該当する。従って、図２（ａ）、（ｂ）に示す光モジュールにおいて、図１（ａ）、（ｂ）に示す光モジュールと同等の構成には、同じ符号を付し、重複する説明は省略する。
【００４４】
図２（ａ）、（ｂ）に示すように、本実施例の光モジュールは、図１（ａ）、（ｂ）に示す光モジュールのＬＤ３、ＰＤ１１に替えて、光信号を送受信する送受信素子２１をステム２の搭載面２ａに搭載したものであり、１本の光ファイバ７を用いて光信号の送受信を行う一心双方向型の光送受信モジュールである。送受信素子２１は、図２（ｂ）に示すように、ＬＤ２３と、ＰＤ２４と、ＬＤ２３からの信号光を透過し、光ファイバ７からの信号光を反射するフィルタ２５とから構成される。上記構成により、ＬＤ２３から出射された信号光は、フィルタ２５を透過することにより光ファイバ７と光学結合され、光ファイバ７から入射された信号光は、フィルタ２５を反射することによりＰＤ２４と光学結合されることになる。
【００４５】
本実施例の光モジュールにおいても、垂直なファイバ端面１０を有する光ファイバ７を使用可能とするため、フェルールカラー９の保持端面９ａが接する筐体１の端面１ｂが、送受信素子２１内部のＬＤ２３の光軸２３ａに垂直な面に対して所定角度傾斜されて形成されている。具体的には、本実施例の光モジュールにおいて、フェルールカラー９は、ファイバ端面１０が保持端面９ａと平行になるように、光ファイバ７を保持する構成であり、又、ステム２は、ＬＤ２３の光軸２３ａが搭載面２ａと垂直になるように、ＬＤ２３を有する送受信素子２１を支持する構成であり、更に、筐体１の端面１ａは、筐体１の長手方向に対して垂直に形成されると共に、筐体１の端面１ｂは、筐体１の長手方向に対して垂直な面に対して所定角度傾斜されて形成される構成である。
【００４６】
つまり、ＬＤ２３の光軸２３ａをステム２の搭載面２ａと垂直とし、かつ、筐体１の端面１ａを筐体１の長手方向に対して垂直に形成することにより、ＬＤ２３の光軸２３ａと筐体１の長手方向を同一としている。そして、筐体１の端面１ｂを筐体１の長手方向に対して垂直な面に対して所定角度傾斜して形成すれば、筐体１の端面１ｂ自体がＬＤ２３の光軸２３ａに垂直な面に対して、所定角度傾斜することになり、フェルールカラー９を介して、筐体１の端面１ｂに取り付けられる光ファイバ７のファイバ端面１０も、ＬＤ２３の光軸２３ａに垂直な面に対して、所定角度傾斜することになる。
【００４７】
従って、上記構成とすることにより、垂直なファイバ端面１０を有する光ファイバ７を用いても、本実施例の光モジュールでは、ファイバ端面１０における反射等の問題を防止できることとなる。なお、図１（ａ）、（ｂ）に示したように、ＬＤ３、ＰＤ１１に対する最適な傾斜角度は互いに相違する。そこで、本実施例においては、傾斜角度が小さいＬＤ２３側に最適な角度（光出力側のロス値が１ｄＢｍ以下となるような角度、例えば、０．５°〜１°）に合わせて端面１ｂを傾斜させ、ＰＤ２４に対しては、その傾斜角度を考慮した上で、フィルタ２５の角度を調整して、ＰＤ２４に対して高効率に光学結合させている。ＬＤ２３とＰＤ２４の配置位置は、逆の位置としても構わない。
【００４８】
ここで、図２（ａ）、（ｂ）に示した光モジュールの調芯方法を説明する。
【００４９】
（１）送受信素子２１の搭載
ＬＤ２３、ＰＤ２４、フィルタ２５を有する送受信素子２１を、ステム２の搭載面２ａの中心に搭載する。このとき、ＬＤ２３の光軸２３ａがステム２の搭載面２ａに対して垂直になるように調整する。
【００５０】
（２）レンズ５付きキャップ６の固定
レンズ５付きキャップ６を、送受信素子２１を搭載したステム２に固定する。このとき、ＬＤ２３に電流を流して発光させ、レンズ５の中心とＬＤ２３の発光点が同一になるように、つまり、レンズ５の中心とＬＤ２３の光軸２３ａが一致するように、ステム２の位置を調整し、その後、キャップ６をステム２に抵抗溶接にて固定する。
【００５１】
（３）ステム２の固定
ステム２を筐体１の傾斜していない端面１ａに固定する。このとき、筐体１の内側になるようにステム２の搭載面２ａを配置し、ステム２の中心と筐体１の中心を合わせた後、ステム２を筐体１の端面１ａに抵抗溶接にて固定する。
【００５２】
（４）光ファイバ７の固定（光ファイバ７とＬＤ２３の調芯）
長手方向に対して垂直に形成されたファイバ端面１０を有し、フェルール８に保持された光ファイバ７をフェルールカラー９に固定し、フェルールカラー９を筐体１の傾斜した端面１ｂに固定する。このとき、フェルールカラー９の保持端面９ａを筐体１の端面１ｂに対面させると共に、ＬＤ２３に電流を流して発光させ、光ファイバ７に入射するＬＤ２３からの光強度が最大となるように、筐体１の平面位置を調整し、その後、フェルール８を介して、光ファイバ７をフェルールカラー９に固定し、フェルールカラー９を筐体１の端面１ｂに固定する。
【００５３】
例えば、エアー浮上型、バネ浮上型等のジンバル機構を備えた調芯装置を用いて、上記調整を行えばよい。具体的には、ジンバル機構により、筐体１に固定されたステム２に対して、フェルール８を介して調芯装置のファイバチャックに保持された光ファイバ７と、調芯装置のフェルールカラーチャックに保持されたフェルールカラー９の光軸を垂直に保つと共に、調芯装置によりＸＹＺ軸の調芯を行う。このＸＹＺ軸の調芯により、光ファイバ７において、最大の光学結合を得られる位置が確定したら、ＹＡＧレーザ溶接にてＺ軸を貫通溶接する。そして、再度ＸＹ調芯を行い、光ファイバ７において、最大の光学結合を得られる位置が確定したら、ＹＡＧレーザ溶接にてＸＹ軸を隅肉溶接する。
【００５４】
従って、上記調芯方法を用いることにより、光ファイバ７とＬＤ２３及びＰＤ２４との調芯を容易にしている。又、オフセット調整も従来と比較して容易である。
【実施例３】
【００５５】
図３は、本発明に係る光モジュールの実施形態の他の一例を示す断面構成図であり、図３（ａ）は、最小傾斜角度における図であり、図３（ｂ）は、最大傾斜角度における図である。
【００５６】
なお、図３（ａ）、（ｂ）に示す光モジュールにおいて、実施例１、２（図１（ａ）、（ｂ）、図２（ａ）、（ｂ））に示す光モジュールと同等の構成には、同じ符号を付し、重複する説明は省略する。又、本実施例においては、一例として、光素子を送受信素子２１としているが、実施例１、２に示したように、送受信素子２１をＬＤ３、ＰＤ１１に替えてもよい。
【００５７】
図３（ａ）、（ｂ）に示すように、本実施例の光モジュールは、実施例２に示した光モジュールと同様に、光信号を送受信する送受信素子２１をステム２の搭載面２ａに搭載したものであり、１本の光ファイバ７を用いて光信号の送受信を行う一心双方向型の光送受信モジュールである。送受信素子２１は、前述の図２（ｂ）に示すように、ＬＤ２３と、ＰＤ２４と、フィルタ２５とから構成され、フィルタ２５を介して、光ファイバ７とＬＤ２３及びＰＤ２４とが光学結合される。
【００５８】
本実施例の光モジュールにおいては、垂直なファイバ端面１０を有する光ファイバ７を使用可能とするため、フェルール８を介して光ファイバ７を保持するフェルールカラー３１（保持手段）の保持端面３１ａを、光ファイバ７のファイバ端面１０に対して第１所定角度（θ１）傾斜させて形成しており、フェルールカラー３１の保持端面３１ａが接する筐体１の端面１ｂも、送受信素子２１内部のＬＤ２３の光軸２３ａに垂直な面に対して第２所定角度（θ２）傾斜させて形成している。加えて、フェルールカラー３１は、その長手方向を回転軸として、筐体１の端面１ｂに回転可能に取り付けられている。
【００５９】
上記構成を整理して説明すると、本実施例の光モジュールにおいて、フェルールカラー３１は、保持端面３１ａをファイバ端面１０に対して傾斜させて、光ファイバ７を保持する構成であり、又、ステム２は、ＬＤ２３の光軸２３ａが搭載面２ａと垂直になるように、ＬＤ２３を有する送受信素子２１を支持する構成であり、更に、筐体１の端面１ａは、筐体１の長手方向に対して垂直に形成されると共に、筐体１の端面１ｂは、筐体１の長手方向に対して垂直な面に対して傾斜されて形成される構成である。
【００６０】
つまり、ＬＤ２３の光軸２３ａをステム２の搭載面２ａと垂直とし、かつ、筐体１の端面１ａを筐体１の長手方向に対して垂直に形成することにより、ＬＤ２３の光軸２３ａと筐体１の長手方向を同一としている。そして、筐体１の端面１ｂを筐体１の長手方向に対して垂直な面に対して第２所定角度傾斜して形成すれば、筐体１の端面１ｂ自体がＬＤ２３の光軸２３ａに垂直な面に対して第２所定角度傾斜することになり、フェルールカラー３１を介して、筐体１の端面１ｂに取り付けられる光ファイバ７のファイバ端面１０も、ＬＤ２３の光軸２３ａに垂直な面に対して傾斜することになる。
【００６１】
更に、本実施例の光モジュールにおいては、フェルールカラー３１の保持端面３１ａを、光ファイバ７のファイバ端面１０に対して第１所定角度傾斜させて形成すると共に、フェルールカラー３１を傾斜した筐体１の端面１ｂに回転可能に取り付けているため、フェルールカラー３１を回転させることにより、ＬＤ２３の光軸２３ａに垂直な面に対する光ファイバ７のファイバ端面１０の傾斜角度を任意の角度に調整することができる。
【００６２】
従って、上記構成とすることにより、垂直なファイバ端面１０を有する光ファイバ７を用いても、本実施例の光モジュールでは、ファイバ端面１０における反射等の問題を防止できることとなる。
【００６３】
ファイバ７のファイバ端面１０の傾斜角度は、フェルールカラー３１の回転により調整可能であり、調整の基準位置となる最小傾斜角度としては、例えば、ＬＤ２３の光軸２３ａに垂直な面に対して、光ファイバ７のファイバ端面１０の傾斜角度を０°とすることが望ましい（図３（ａ）参照）。その場合、フェルールカラー３１の保持端面３１ａの第１所定角度θ１が、筐体１の端面１ｂの第２所定角度θ２と同じか、それ以上の角度、つまり、［θ１≧θ２］の関係であればよい。そして、最大傾斜角度は、フェルールカラー３１の保持端面３１ａの第１所定角度θ１と、筐体１の端面１ｂの第２所定角度θ２との和、つまり、［θ１＋θ２］となる。ここで、図３（ｂ）は、フェルールカラー３１を回転し、最大傾斜角度とした状態を示している。なお、図１（ａ）に示したＬＤ３を光素子として用いる場合には、第１所定角度θ１と第２所定角度θ２との和を、光出力のロス値が１ｄＢｍ以下となるような角度、例えば、０．５°〜１°とすればよいし、図１（ｂ）に示したＰＤ１１を光素子として用いる場合には、第１所定角度θ１と第２所定角度θ２との和を、光入力のロス値が１ｄＢ以下となるような角度、例えば、２°〜６°とすればよい。
【００６４】
なお、本実施例における送受信素子２１は、ＬＤ２３、ＰＤ２４を有するものであり（図２（ｂ）参照）、このような場合、実施例２と同じように、傾斜角度が小さいＬＤ２３側に最適な角度（光出力側のロス値が１ｄＢｍ以下となるような角度、例えば、０．５°〜１°）に合わせて、第１所定角度θ１と第２所定角度θ２との和が、０．５°〜１°となるように各部材を形成し、ＬＤ２３側は、フェルールカラー３１の回転により、高効率に光学結合するように調整し、ＰＤ２４側は、ファイバ７のファイバ端面１０の傾斜角度を考慮した上で、フィルタ２５の角度を調整して、高効率に光学結合させている。ＬＤ２３とＰＤ２４の配置位置は、逆の位置としても構わない。
【００６５】
ここで、図３（ａ）、（ｂ）に示した光モジュールの調芯方法を説明する。
【００６６】
（１）送受信素子２１の搭載
ＬＤ２３、ＰＤ２４、フィルタ２５を有する送受信素子２１を、ステム２の搭載面２ａの中心に搭載する。このとき、ＬＤ２３の光軸２３ａがステム２の搭載面２ａに対して垂直になるように調整する。
【００６７】
（２）レンズ５付きキャップ６の固定
レンズ５付きキャップ６を、送受信素子２１を搭載したステム２に固定する。このとき、ＬＤ２３に電流を流して発光させ、レンズ５の中心とＬＤ２３の発光点が同一になるように、つまり、レンズ５の中心とＬＤ２３の光軸２３ａが一致するように、ステム２の位置を調整し、その後、キャップ６をステム２に抵抗溶接にて固定する。
【００６８】
（３）ステム２の固定
ステム２を筐体１の傾斜していない端面１ａに固定する。このとき、筐体１の内側になるようにステム２の搭載面２ａを配置し、ステム２の中心と筐体１の中心を合わせた後、ステム２を筐体１の端面１ａに抵抗溶接にて固定する。
【００６９】
（４）フェルールカラー３１の調整
長手方向に対して垂直に形成されたファイバ端面１０を有し、フェルール８に保持された光ファイバ７をフェルールカラー３１に固定し、フェルールカラー３１を筐体１の傾斜した端面１ｂに固定する。このとき、フェルールカラー３１の保持端面３１ａを筐体１の端面１ｂに対面させると共に、ＬＤ２３に電流を流して発光させ、光ファイバ７に入射するＬＤ２３からの光強度が最大となるように、筐体１の平面位置及び回転角度を調整し、その後、フェルール８を介して、光ファイバ７をフェルールカラー３１に固定し、フェルールカラー３１を筐体１の端面１ｂに固定する。
【００７０】
例えば、エアー浮上型、バネ浮上型等のジンバル機構を備えた調芯装置を用いて、上記調整を行えばよい。具体的には、ジンバル機構により、筐体１に固定されたステム２に対して、フェルール８を介して調芯装置のファイバチャック３５に保持された光ファイバ７と、調芯装置のフェルールカラーチャック３６に保持されたフェルールカラー３１の光軸を垂直に保つと共に、調芯装置によりＸＹＺθ軸の調芯を行う。このとき、ファイバチャック３５によりＺ軸の調芯を行い、筐体１を保持する調芯装置のジンバル機構付きチャック３７により、ＸＹθ軸の調芯を行っている。このＸＹＺθ軸の調芯により、光ファイバ７において、最大の光学結合を得られる位置が確定したら、ＹＡＧレーザ溶接にてＺ軸を貫通溶接する。そして、再度ＸＹ調芯を行い、光ファイバ７において、最大の光学結合を得られる位置が確定したら、ＹＡＧレーザ溶接にてＸＹ軸を隅肉溶接する（図４（ａ）、（ｂ）参照）。
【００７１】
従って、上記調芯方法を用いることにより、光ファイバ７とＬＤ２３及びＰＤ２４との調芯を容易にしている。
【図面の簡単な説明】
【００７２】
【図１】本発明に係る光モジュールの実施形態の一例（実施例１）を示す断面構成図である。
【図２】本発明に係る光モジュールの実施形態の他の一例（実施例２）を示す断面構成図である。
【図３】本発明に係る光モジュールの実施形態の他の一例（実施例３）を示す断面構成図である。
【図４】図３に示した光モジュールの調芯方法を説明する図である。
【図５】従来の光モジュールの構造を示す断面構成図である。
【符号の説明】
【００７３】
１    筐体
１ａ、１ｂ  端面
２    ステム
２ａ  搭載面
３、２３  ＬＤ（レーザダイオード）
３ａ、１１ａ、２３ａ  光軸
４    ピン
５    レンズ
６    キャップ
７    光ファイバ
８    フェルール
９    フェルールカラー
９ａ  保持端面
１０  ファイバ端面
１１、２４  ＰＤ（フォトダイオード）
２１  送受信素子
２５  フィルタ
３１  フェルールカラー
【図１】
2008083282.tif 000003
【図２】
2008083282.tif 000004
【図３】
2008083282.tif 000005
【図４】
2008083282.tif 000006
【図５】
2008083282.tif 000007